【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
第１のトランジスタと、第２のトランジスタと、第３のトランジスタと、容量素子と、第１の配線と、第２の配線と、第３の配線と、第４の配線と、負荷と、を有し、
前記第１のトランジスタは、第１端子が前記第２のトランジスタの第２端子と電気的に接続され、第２端子が前記第３の配線と電気的に接続され、ゲート端子が第３のトランジスタの第１端子と電気的に接続され、
前記第２のトランジスタは、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記負荷は前記第１のトランジスタの第１端子に電気的に接続され、
前記第２の配線はビデオ信号線であることを特徴とする半導体装置。
【請求項２】
請求項１において、前記第２の配線及び前記第３の配線には所定の電位が入力されていることを特徴とする半導体装置。
【請求項３】
第１のトランジスタと、第２のトランジスタと、第３のトランジスタと、容量素子と、第１の配線と、第２の配線と、第３の配線と、第４の配線と、負荷と、を有し、
前記第１のトランジスタは、第１端子が前記第２のトランジスタの第２端子と電気的に接続され、第２端子が前記第３の配線と電気的に接続され、ゲート端子が第３のトランジスタの第１端子と電気的に接続され、
前記第２のトランジスタは、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記負荷は前記第１のトランジスタの第１端子に電気的に接続され、
前記第２の配線はビデオ信号線であり、
前記第３の配線の電位は前記第２の配線の電位よりも低いことを特徴とする半導体装置。
【請求項４】
第１のトランジスタと、第２のトランジスタと、第３のトランジスタと、容量素子と、第１の配線と、第２の配線と、第３の配線と、第４の配線と、負荷と、を有し、
前記第１のトランジスタは、第１端子が前記第２のトランジスタの第２端子と電気的に接続され、第２端子が前記第２の配線と電気的に接続され、ゲート端子が第３のトランジスタの第１端子と電気的に接続され、
前記第２のトランジスタは、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記負荷は前記第１のトランジスタの第１端子に電気的に接続され、
前記第２の配線はビデオ信号線であり、
前記第２の配線及び前記第３の配線には所定の電位が入力され、
前記第２のトランジスタ及び前記第３のトランジスタがオンし、且つ前記第１の配線に電流が流れるとき、前記第１のトランジスタには電流が流れ、前記負荷には電流が流れないことを特徴とする半導体装置。
【請求項５】
第１のトランジスタと、第２のトランジスタと、第３のトランジスタと、容量素子と、第１の配線と、第２の配線と、第３の配線と、第４の配線と、負荷と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、ゲート端子が前記第１の配線に電気的に接続され、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記負荷は前記第１のトランジスタの第１端子に接続され、
前記第２の配線はビデオ信号線であることを特徴とする半導体装置。
【請求項６】
請求項５において、前記第３の配線及び前記第４の配線には所定の電位が入力されていることを特徴とする半導体装置。
【請求項７】
第１のトランジスタと、第２のトランジスタと、第３のトランジスタと、容量素子と、第１の配線と、第２の配線と、第３の配線と、第４の配線と、負荷と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、ゲート端子が前記第１の配線に電気的に接続され、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記負荷は前記第１のトランジスタの第１端子に電気的に接続され、
前記第４の配線の電位は前記第３の配線の電位よりも低く、
前記第２の配線はビデオ信号線であることを特徴とする半導体装置。
【請求項８】
第１のトランジスタと、第２のトランジスタと、第３のトランジスタと、容量素子と、第１の配線と、第２の配線と、第３の配線と、第４の配線と、負荷と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、ゲート端子が前記第１の配線に電気的に接続され、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記負荷は前記第１のトランジスタの第１端子に電気的に接続され、
前記第２の配線はビデオ信号線であり、
前記第１の配線に入力される信号により前記第２のトランジスタ及び前記第３のトランジスタがオンし、且つ前記第１の配線に電流が流れるとき、前記第１のトランジスタには電流が流れ、前記負荷には電流が流れないことを特徴とする半導体装置。
【請求項９】
第１のトランジスタと、第２のトランジスタと、第３のトランジスタと、容量素子と、第１の配線と、第２の配線と、第３の配線と、第４の配線と、画素電極と対向電極との間に発光層を有する発光素子と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、ゲート端子が前記第１の配線に電気的に接続され、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記発光素子は画素電極が前記第１のトランジスタの第１端子に電気的に接続され、
前記第２の配線はビデオ信号線であることを特徴とする表示装置。
【請求項１０】
請求項９において、前記第３の配線及び前記第４の配線には所定の電位が入力されていることを特徴とする表示装置。
【請求項１１】
第１のトランジスタと、第２のトランジスタと、第３のトランジスタと、容量素子と、第１の配線と、第２の配線と、第３の配線と、第４の配線と、画素電極と対向電極との間に発光層を有する発光素子と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、ゲート端子が前記第１の配線に電気的に接続され、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記発光素子は画素電極が前記第１のトランジスタの第１端子に電気的に接続され、
前記第４の配線の電位は前記第３の配線の電位よりも低く、
前記第２の配線はビデオ信号線であることを特徴とする表示装置。
【請求項１２】
第１のトランジスタと、第２のトランジスタと、第３のトランジスタと、容量素子と、第１の配線と、第２の配線と、第３の配線と、第４の配線と、画素電極と対向電極との間に発光層を有する発光素子と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、ゲート端子が前記第１の配線に接続され、第１端子が前記第２の配線と電気的に接続され、
前記第３のトランジスタは、ゲート端子が前記第１の配線に接続され、第２端子が前記第４の配線に電気的に接続され、
前記容量素子は前記第１のトランジスタのゲート端子と第１端子との間に電気的に接続され、
前記発光素子は画素電極が前記第１のトランジスタの第１端子に電気的に接続され、
前記第２の配線はビデオ信号線であり、
前記第１の配線に入力される信号により前記第２のトランジスタ及び前記第３のトランジスタがオンし、且つ前記第１の配線に電流が流れるとき、前記第１のトランジスタには電流が流れ、前記発光素子には電流が流れないことを特徴とする表示装置。
【請求項１３】
第１のトランジスタと、第２のトランジスタと、第３のトランジスタと、容量素子と、第１の配線と、第２の配線と、第３の配線と、第４の配線と、画素電極と対向電極との間に発光層を有する発光素子と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、ゲート端子が前記第１の配線に電気的に接続され、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記発光素子は画素電極が前記第１のトランジスタの第１端子に電気的に接続され、
前記第２の配線はビデオ信号線であり、
前記第４の配線の電位は前記対向電極の電位と等しいことを特徴とする表示装置。
【請求項１４】
走査線駆動回路と、信号線駆動回路と、画素部と、を有し、
前記画素部には、前記走査線駆動回路から伸張して配置された複数の走査線と、前記信号線駆動回路から伸張して配置された複数の信号線と、前記走査線と前記信号線とに対応してマトリクスに配置された複数の画素と、を備え、
前記画素は、第１のトランジスタと、第２のトランジスタと、第３のトランジスタと、容量素子と、前記走査線と、前記信号線と、電源線と、バイアス線と、画素電極と対向電極との間に発光層を有する発光素子と、を備え、
前記第１のトランジスタは、第１端子が前記第２のトランジスタの第２端子と電気的に接続され、第２端子が前記電源線と電気的に接続され、ゲート端子が前記第３のトランジスタの第１端子と電気的に接続され、
前記第２のトランジスタは、ゲート端子が前記走査線に電気的に接続され、第１端子が前記信号線と電気的に接続され、
前記第３のトランジスタは、ゲート端子が前記走査線に電気的に接続され、第２端子が前記バイアス線に電気的に接続され、
前記容量素子は前記第１のトランジスタのゲート端子と第１端子との間に電気的に接続され、
前記発光素子は画素電極が前記第１のトランジスタの第１端子に電気的に接続されていることを特徴とする表示装置。
【請求項１５】
走査線駆動回路と、信号線駆動回路と、画素部と、を有し、
前記画素部には、前記走査線駆動回路から伸張して配置された複数の走査線と、前記信号線駆動回路から伸張して配置された複数の信号線と、前記走査線と前記信号線とに対応してマトリクスに配置された複数の画素と、を備え、前記画素は、第１のトランジスタと、第２のトランジスタと、第３のトランジスタと、容量素子と、前記走査線と、前記信号線と、電源線と、バイアス線と、画素電極と対向電極との間に発光層を有する発光素子と、を備え、
前記第１のトランジスタは、第１端子が前記第２のトランジスタの第２端子と電気的に接続され、第２端子が前記電源線と電気的に接続され、ゲート端子が前記第３のトランジスタの第１端子と電気的に接続され、
前記第２のトランジスタは、ゲート端子が前記走査線に電気的に接続され、第１端子が前記信号線と電気的に接続され、
前記第３のトランジスタは、ゲート端子が前記走査線に電気的に接続され、第２端子が前記バイアス線に電気的に接続され、
前記容量素子は前記第１のトランジスタのゲート端子と第１端子との間に電気的に接続され、
前記発光素子は画素電極が前記第１のトランジスタの第１端子に電気的に接続され、
前記バイアス線の電位は前記電源線の電位よりも低いことを特徴とする表示装置。
【請求項１６】
走査線駆動回路と、信号線駆動回路と、画素部と、を有し、
前記画素部には、前記走査線駆動回路から伸張して配置された複数の走査線と、前記信号線駆動回路から伸張して配置された複数の信号線と、前記走査線と前記信号線とに対応してマトリクスに配置された複数の画素と、を備え、
前記画素は、第１のトランジスタと、第２のトランジスタと、第３のトランジスタと、容量素子と、前記走査線と、前記信号線と、電源線と、バイアス線と、画素電極と対向電極との間に発光層を有する発光素子と、を備え、
前記第１のトランジスタは、第１端子が前記第２のトランジスタの第２端子と電気的に接続され、第２端子が前記電源線と電気的に接続され、ゲート端子が前記第３のトランジスタの第１端子と電気的に接続され、
前記第２のトランジスタは、ゲート端子が前記走査線に接続され、第１端子が前記信号線と電気的に接続され、
前記第３のトランジスタは、ゲート端子が前記走査線に接続され、第２端子が前記バイアス線に電気的に接続され、
前記容量素子は前記第１のトランジスタのゲート端子と第１端子との間に電気的に接続され、
前記走査線に入力される信号により前記第２のトランジスタ及び前記第３のトランジスタがオンし、且つ前記信号線に信号電流が流れるとき、前記第１のトランジスタには電流が流れ、前記発光素子には電流が流れないことを特徴とする表示装置。
【請求項１７】
走査線駆動回路と、信号線駆動回路と、画素部と、を有し、
前記画素部には、前記走査線駆動回路から伸張して配置された複数の走査線と、前記信号線駆動回路から伸張して配置された複数の信号線と、前記走査線と前記信号線とに対応してマトリクスに配置された複数の画素と、を備え、
前記画素は、第１のトランジスタと、第２のトランジスタと、第３のトランジスタと、容量素子と、前記走査線と、前記信号線と、電源線と、バイアス線と、画素電極と対向電極との間に発光層を有する発光素子と、を備え、
前記第１のトランジスタは、第１端子が前記第２のトランジスタの第２端子と電気的に接続され、第２端子が前記電源線と電気的に接続され、ゲート端子が前記第３のトランジスタの第１端子と電気的に接続され、
前記第２のトランジスタは、ゲート端子が前記走査線に電気的に接続され、第１端子が前記信号線と電気的に接続され、
前記第３のトランジスタは、ゲート端子が前記走査線に電気的に接続され、第２端子が前記バイアス線に電気的に接続され、
前記容量素子は前記第１のトランジスタのゲート端子と第１端子との間に電気的に接続され、
前記発光素子は画素電極が前記第１のトランジスタの第１端子に電気的に接続され、
前記バイアス線の電位は前記対向電極の電位と等しいことを特徴とする表示装置。
【請求項１８】
請求項９乃至請求項１７のいずれか一項において、前記第１のトランジスタ、前記第２のトランジスタ及び前記第３のトランジスタがＮチャネル型トランジスタであることを特徴とする表示装置。
【請求項１９】
請求項１８において、前記Ｎチャネル型トランジスタの半導体層に非晶質半導体膜が用いられていることを特徴とする表示装置。
【請求項２０】
請求項９乃至請求項１９のいずれか一項に記載の表示装置を表示部に有することを特徴とする電子機器。
【請求項２１】
第１のトランジスタと、第２のトランジスタと、第３のトランジスタと、容量素子と、第１の配線と、第２の配線と、第３の配線と、第４の配線と、を有し、
前記第１のトランジスタは、第１端子が前記第２のトランジスタの第２端子と電気的に接続され、第２端子が前記第３の配線と電気的に接続され、ゲート端子が前記第３のトランジスタの第１端子と電気的に接続され、
前記第２のトランジスタは、第１端子が前記第２の配線と電気的に接続され、
前記第３のトランジスタは、ゲート端子が前記第１の配線に電気的に接続され、第２端子が前記第４の配線に電気的に接続され、
前記容量素子は前記第１のトランジスタのゲート端子と第１端子との間に電気的に接続され、
前記第２の配線はビデオ信号線であることを特徴とする半導体装置。